(57)【要約】【課題】装着キャップの成形性の向上と緩み発生の抑制を両立させることができる吐出ポンプ付き容器を提供する。【解決手段】外周面に雄ねじ23が形成された口部22を有する容器体20と、前記雄ねじ23に対する装着キャップ33の周壁33aに形成された雌ねじ36の螺着により、容器体20内に垂下させたシリンダ31の上部が前記口部22に固定される吐出ポンプ30とを備え、吐出ヘッド35は、該吐出ヘッド35を押し下げた状態で、シリンダ31の上端に回転不能に嵌着された補助キャップ34に螺着可能である吐出ポンプ付き容器1において、装着キャップ33の周壁33aの雌ねじ36には、周方向に間隔を空けて配置された複数帯域Xのみにねじ山36aを設けると共に、該複数帯域X内に、前記雄ねじ23のねじ山23aに食い込む緩み防止突起37を設ける。【選択図】図１
2015209260.tif 000002
【特許請求の範囲】
【請求項１】
外周面に雄ねじが形成された口部を有する容器体と、
前記雄ねじに対する装着キャップの周壁に形成された雌ねじの螺着により、前記容器体内に垂下させたシリンダの上部が前記口部に固定され、前記シリンダ内より上方に突出したステムの上端に設けられた吐出ヘッドの上下動にて前記容器体内の内容物を吐出させる吐出ポンプとを備え、
前記吐出ヘッドは、該吐出ヘッドを押し下げた状態で、前記シリンダの上端に回転不能に嵌着された補助キャップに螺着可能である吐出ポンプ付き容器において、
前記装着キャップの周壁の雌ねじは、周方向に間隔を空けて配置された複数帯域のみにねじ山を有すると共に、該複数帯域内に、前記雄ねじのねじ山に食い込む緩み防止突起を有することを特徴とする吐出ポンプ付き容器。
【請求項２】
前記緩み防止突起は、前記雄ねじのねじ山側面に対し、径方向外側から径方向内側に向かって食い込む、請求項１に記載の吐出ポンプ付き容器。
【請求項３】
前記緩み防止突起は、前記雌ねじのねじ山上面に連なりつつ該雌ねじの旋回軌道に沿って延びる帯状の突起であり、前記旋回軌道に沿って下方に向かうにつれて前記周壁からの突出厚みが低減する傾斜面を有する、請求項２に記載の吐出ポンプ付き容器。
【発明の詳細な説明】
【技術分野】
【０００１】
本発明は、容器体と、容器体の口部にシリンダの上部が装着キャップの螺着により固定された吐出ポンプとを備える吐出ポンプ付き容器に関し、特に、装着キャップの成形性の向上と緩み発生の抑制を両立させようとするものである。
【背景技術】
【０００２】
従来、例えば特許文献１に記載されるように、外周面に雄ねじが形成された口部を有する容器体と、前記雄ねじに対する装着キャップの周壁に形成された雌ねじの螺着により、容器体内に垂下させたシリンダの上部が前記口部に固定され、シリンダ内より上方に突出したステムの上端に設けられた吐出ヘッドの上下動にて容器体内の内容物を吐出させる吐出ポンプとを備え、吐出ヘッドは、該吐出ヘッドを押し下げた状態で、シリンダの上端に回転不能に嵌着された補助キャップに螺着可能である吐出ポンプ付き容器が知られている。
【先行技術文献】
【特許文献】
【０００３】
【特許文献１】特開２００８−１８９３１７号公報
【発明の概要】
【発明が解決しようとする課題】
【０００４】
特許文献１に記載されるような従来の吐出ポンプ付き容器では、装着キャップの周壁の雌ねじは、ねじ山が全周に亘って連続的に形成されており、これを射出成形するに際しては、該周壁の内周面を成形したコア（金型）を回転させてねじ山に沿って抜き、離型させる必要があり、その成形性には向上の余地があった。
【０００５】
そこで、装着キャップの周壁の雌ねじを、周方向に間隔を空けて配置された複数帯域のみにねじ山を有する間欠ねじとして構成すれば、前記のコアとして、コラプシブルコアとも称される径方向に縮径させて抜くコアを用いることが可能となり、成形性を向上できると考えられる。
【０００６】
しかしながら、このような間欠ねじとした場合には、従来の全周にねじが掛かる装着キャップの場合と比較すると、締め付けトルクが減少し、ねじの緩みを生じ易くなってしまう。特に、前記したような吐出ポンプ付き容器の場合、その使用開始時に、吐出ヘッドを補助キャップから螺脱させるために吐出ヘッドを回転させた際に、該吐出ヘッドの回転に伴い装着キャップのねじが緩み、前記の螺脱が妨げられてしまうおそれがある。
【０００７】
本発明は、前記の現状に鑑み開発されたもので、装着キャップの成形性の向上と緩み発生の抑制を両立させることができる吐出ポンプ付き容器を提供することを目的とする。
【課題を解決するための手段】
【０００８】
すなわち、本発明の要旨構成は以下のとおりである。
１．外周面に雄ねじが形成された口部を有する容器体と、
前記雄ねじに対する装着キャップの周壁に形成された雌ねじの螺着により、前記容器体内に垂下させたシリンダの上部が前記口部に固定され、前記シリンダ内より上方に突出したステムの上端に設けられた吐出ヘッドの上下動にて前記容器体内の内容物を吐出させる吐出ポンプとを備え、
前記吐出ヘッドは、該吐出ヘッドを押し下げた状態で、前記シリンダの上端に回転不能に嵌着された補助キャップに螺着可能である吐出ポンプ付き容器において、
前記装着キャップの周壁の雌ねじは、周方向に間隔を空けて配置された複数帯域のみにねじ山を有すると共に、該複数帯域内に、前記雄ねじのねじ山に食い込む緩み防止突起を有することを特徴とする吐出ポンプ付き容器。
【０００９】
２．前記緩み防止突起は、前記雄ねじのねじ山側面に対し、径方向外側から径方向内側に向かって食い込む、前記１の吐出ポンプ付き容器。
【００１０】
３．前記緩み防止突起は、前記雌ねじのねじ山上面に連なりつつ該雌ねじの旋回軌道に沿って延びる帯状の突起であり、前記旋回軌道に沿って下方に向かうにつれて前記周壁からの突出厚みが低減する傾斜面を有する、前記２の吐出ポンプ付き容器。
【発明の効果】
【００１１】
本発明によれば、装着キャップの周壁の雌ねじを、周方向に間隔を空けて配置された複数帯域のみにねじ山を有する間欠ねじとして構成することで成形性を向上でき、しかも、該複数帯域内に設けた緩み防止突起が、容器体の口部に形成された雄ねじのねじ山に食い込むことで、装着キャップの緩み発生を抑制することができる。
【００１２】
したがって、本発明によれば、装着キャップの成形性の向上と緩み発生の抑制を両立させることができる吐出ポンプ付き容器を提供することができる。
【図面の簡単な説明】
【００１３】
【図１】本発明の一実施形態に係る吐出ポンプ付き容器の一部断面側面図である。
【図２】図１の吐出ポンプ付き容器の装着キャップを示す図であり、（ａ）は縦断面図、（ｂ）は（ａ）のＡ−Ａ断面図である。
【図３】図１の一部拡大図である。
【発明を実施するための形態】
【００１４】
以下、図１〜図３を参照して、本発明の一実施形態に係る吐出ポンプ付き容器１について詳細に例示説明する。
なお、本明細書において上方及び下方とは、それぞれ、容器本体２０を起立させ、装着キャップ３３を取り付けた状態での上方及び下方を意味するものとする。
【００１５】
図１に示すように、本実施形態に係る吐出ポンプ付き容器１は、容器体２０と、吐出ポンプ３０とを備える。容器体２０は、胴部２１の上部を縮径させた口部２２を有するボトル状を成し、口部２２の外周面には、雄ねじ２３が形成されている。
【００１６】
吐出ポンプ３０は、シリンダ３１、ステム３２、装着キャップ３３、補助キャップ３４及び吐出ヘッド３５を有する。吐出ポンプ３０は、容器体２０の口部２２の雄ねじ２３に対する装着キャップ３３の周壁３３ａに形成された雌ねじ３６の螺着により、容器体２０内に垂下させたシリンダ３１の上部に形成されたフランジ３１ａが前記口部２２に固定され、シリンダ３１内より上方に突出したステム３２の上端に設けられた吐出ヘッド３５の上下動にて容器体２０内の内容物を吐出させるように構成されている。なお、符号３１ｂは、パッキンを示す。吐出ヘッド３５は、図１に示したように、該吐出ヘッド３５を押し下げた状態で、シリンダ３１の上端に回転不能に嵌着された補助キャップ３４に螺着可能である。補助キャップ３４は、本例では、シリンダ３１の上端にアンダーカットにより嵌着されると共に、補助キャップ３４側の廻り止めリブ３４ａとシリンダ３１側の廻り止めリブ３１ｃによってシリンダ３１に対する回転が防止されている。また、吐出ヘッド３５は、本例では、吐出ヘッド３５の外周壁３５ａが補助キャップ３４の外周壁３４ｂに螺着するようになっている。なお、吐出ヘッド３５を補助キャップ３４に螺着させるための構成としては、これ以外にも種々の構成を採用することができる。例えば、ステム３２の上端に嵌合する吐出ヘッド３５の嵌合筒の外周面に雄ねじを設ける一方で、補助キャップ３４の頂壁内周縁から垂下する内周壁の内周面に雌ねじを設け、これらのねじによって螺着させるようにしてもよい。或いは、補助キャップ３４の頂壁に螺筒を立設する一方で、この補助キャップ３４側螺筒に径方向外側又は径方向内側から螺着する吐出ヘッド３５側螺筒を吐出ヘッド３５に設けるようにすることも可能である。
【００１７】
図２に示すように、装着キャップ３３の周壁３３ａの内周壁に形成される雌ねじ３６は、周方向に間隔を空けて（本例では、等間隔で）配置された複数帯域Ｘのみにねじ山３６ａを有している。複数帯域Ｘ内には、雄ねじ２３のねじ山２３ａ（図３参照）に食い込む緩み防止突起３７が設けられている。本例では、緩み防止突起３７は、前記雄ねじ２３のねじ山側面２３ａｓに対し、径方向外側から径方向内側に向かって食い込むようになっている。より具体的には、緩み防止突起３７は、前記雌ねじ３６のねじ山上面３６ａｕに連なりつつ該雌ねじ３６の旋回軌道に沿って延びる帯状の突起であり、前記旋回軌道に沿って下方に向かうにつれて前記周壁３３ａからの突出厚みが低減する傾斜面３７ａ（図２（ｂ）参照）を有する。
【００１８】
また、本例では、前記雌ねじ３６の旋回軌道に沿って連なる少なくとも２つの緩み防止突起３７が設けられている。より具体的には、緩み防止突起３７は、複数帯域Ｘ（本例では４つの帯域Ｘ）のそれぞれにおいて、各ねじ山３６ａに対応してそれぞれ２つの緩み防止突起３７が設けられている。
【００１９】
本例では、装着キャップ３３と容器体２０とは、いずれも合成樹脂製とすることができるが、容器体２０の素材としては、装着キャップ３３の材質よりも柔らかい材質のもの（例えば、ＨＤＰＥ（高密度ポリエチレン））を用いることが、緩み防止突起３７を容器体２０の口部２２のねじ山２３ａに効果的に食い込ませる観点から好ましい。
【００２０】
かかる構成によれば、装着キャップ３３の周壁３３ａの雌ねじ３６を、周方向に間隔を空けて配置された複数帯域Ｘのみにねじ山３６ａを有する間欠ねじとして構成することで、装着キャップ３３の射出成形時に、周壁３３ａの内周面を成形するコア（金型）として、コラプシブルコアとも称される径方向に縮径させて抜くコアを用いることが可能となるため、成形性を向上させることができる。
【００２１】
しかも、複数帯域Ｘ内に設けた緩み防止突起３７が、容器体２０の口部２２に形成された雄ねじ２３のねじ山２３ａに食い込むことで、装着キャップ３７の緩み発生を抑制することができる。特に、本例では、緩み防止突起３７は、前記雄ねじ２３のねじ山側面２３ａｓに対し、径方向外側から径方向内側に向かって食い込むようになっているため、前記雄ねじ２３のねじ山２３ａに対して最も外周側で係止力を作用させて、効果的に締結トルクを向上させることができる。また、本例では、緩み防止突起３７は傾斜面３７ａを有しているため、緩み防止突起３７を前記雄ねじ２３のねじ山側面２３ａｓに効果的に食い込ませることができる。
【００２２】
前述したところは、本発明の一実施形態を示したにすぎず、特許請求の範囲において、種々の変更を加えることができる。例えば、容器体２０の口部２２に形成された雄ねじ２３のねじ山側面２３ａｓに対し、径方向外側から径方向内側に向かって食い込む緩み防止突起３７に代えて、又は加えて、図３に二点鎖線で示すように、前記雄ねじ２３のねじ山下面２３ａｌに対し、下方から上方に向かって食い込む緩み防止突起３７’を設けてもよい。この場合、緩み防止突起３７’は、周壁３３ａに連なりつつ雌ねじ３６の旋回軌道に沿って延びる帯状の突起であり、前記旋回軌道に沿って下方に向かうにつれて雌ねじ３６のねじ山上面３６ａｕからの突出厚みが低減する傾斜面３７ａ’を有するものとすることが好ましい。
【符号の説明】
【００２３】
１  吐出ポンプ付き容器
２０  容器体
２１  胴部
２２  口部
２３  雄ねじ
２３ａ  ねじ山
２３ａｓ  ねじ山側面
２３ａｌ  ねじ山下面
３０  吐出ポンプ
３１  シリンダ
３１ａ  フランジ
３１ｂ  パッキン
３１ｃ  廻り止めリブ
３２  ステム
３３  装着キャップ
３３ａ  周壁
３４  補助キャップ
３４ａ  廻り止めリブ
３４ｂ  外周壁
３５  吐出ヘッド
３５ａ  外周壁
３６  雌ねじ
３６ａ  ねじ山
３６ａｕ  ねじ山上面
３７，３７’  緩み防止突起
３７ａ，３７ａ’  傾斜面
Ｘ  帯域
【図１】
2015209260.tif 000003
【図２】
2015209260.tif 000004
【図３】
2015209260.tif 000005